【事件の表示】
　特許第２８３１５５６号「釣り糸通し具」の請求項１ないし３に係る特許に対する特許異議の申立てについて、次のとおり決定する。
【結　論】
　訂正を認める。
　特許第２８３１５５６号の請求項１ないし２に係る特許を維持する。
【理　由】
（１）手続の経緯
　特許第２８３１５５６号に係る発明についての出願は、平成６年２月４日に出願され、平成１０年９月２５日にその発明について特許の設定登録がなされ、その後、その特許について、異議申立人中尾浩史により特許異議の申立てがなされ、取消理由通知がなされ、その指定期間内である平成１２年１月１４日に訂正請求がなされたものである。
（２）訂正の適否ついての判断
ア．訂正の内容
　特許権者が求めている訂正の内容は、以下のとおりである。
（ａ）特許請求の範囲の
「【請求項１】釣り糸を釣り竿の中に案内して通す釣り糸通し具であって、釣り糸を保持する保持部と、その釣り糸を釣り竿の中を誘導する誘導部とを備えており、その誘導部は、直線状に記憶させた１本の形状記憶合金のみからなる釣り糸通し具。
【請求項２】釣り糸を釣り竿の中に案内して通す釣り糸通し具であって、釣り糸を保持する保持部と、その釣り糸を釣り竿の中を誘導する誘導部とを備えており、その保持部は、少なくとも一つの輪を形成するように記憶させた形状記憶合金からなる釣り糸通し具。
【請求項３】請求項２に記載された釣り糸通し具において、その誘導部は、直線状に記憶させた形状記憶合金からなる釣り糸通し具。」を
「【請求項１】釣り糸を釣り竿の中に案内して通す釣り糸通し具であって、釣り糸を保持する保持部と、その釣り糸を釣り竿の中を誘導する誘導部とを備えており、その保持部は、釣り糸通し具の端部を撚り合わせて少なくとも一つの輪を形成するように記憶させた形状記憶合金からなる釣り糸通し具。
【請求項２】請求項１に記載された釣り糸通し具において、その誘導部は、直線状に記憶させた形状記憶合金からなる釣り糸通し具。」と訂正する。
（ｂ）明細書段落【０００４】の
「【課題を解決するための手段】請求項１に記載の発明は、釣り糸を釣り竿の中に案内して通す釣り糸通し具であって、釣り糸を保持する保持部と、その釣り糸を釣り竿の中を誘導する誘導部とを備えており、その誘導部は、直線状に記憶させた１本の形状記憶合金のみからなる。請求項２に記載の発明は、釣り糸を釣り竿の中に案内して通す釣り糸通し具であって、釣り糸を保持する保持部と、その釣り糸を釣り竿の中を誘導する誘導部とを備えており、その保持部は、少なくとも一つの輪を形成するように記憶させた形状記憶合金からなる。
請求項３に記載の発明は、請求項２に記載された釣り糸通し具において、その誘導部は、直線状に記憶させた形状記憶合金からなる」を、
「【課題を解決するための手段】請求項１に記載の発明は、釣り糸を釣り竿の中に案内して通す釣り糸通し具であって、釣り糸を保持する保持部と、その釣り糸を釣り竿の中を誘導する誘導部とを備えており、その保持部は、釣り糸通し具の端部を撚り合わせて少なくとも一つの輪を形成するように記憶させた形状記憶合金からなる。
請求項２に記載の発明は、請求項１に記載された釣り糸通し具において、その誘導部は、直線状に記憶させた形状記憶合金からなる」と訂正する。
（ｃ）明細書段落【０００５】の
「【作用】請求項１に記載の発明によれば、直線状に記憶させた１本の形状記憶合金（ｓｈａｐｅ　ｍｅｍｏｒｙ　ａｌｌｏｙ）のみを誘導部に有する。形状記憶合金によって誘導部はしなやかに曲がり、曲げてしまっても形状記憶効果によって完全に元の形状にもどる。請求項２に記載の発明によれば、少なくとも一つの輪を形成するように記憶させた形状記憶合金を保持部に有すからなる。形状記憶合金によって保持部はしなやかに曲がり、曲げてしまっても形状記憶効果によって完全に元の形状にもどる。請求項３に記載の発明によれば、さらに誘導部を直線状に記憶させた形状記憶合金で形成する。形状記憶合金によって誘導部はしなやかに曲がりながら釣り竿の通路を通り、その過程で曲げてしまっても形状記憶効果によって完全に元の形状にもどる。」を、
「【作用】請求項１に記載の発明によれば、釣り糸通し具の端部を撚り合わせて少なくとも一つの輪を形成するように記憶させた形状記憶合金で保持部を形成している。形状記憶合金（ｓｈａｐｅ　ｍｅｍｏｒｙ　ａｌｌｏｙ）によって保持部はしなやかに曲がり、曲げてしまっても形状記憶効果によって完全に元の形状にもどる。請求項２に記載の発明によれば、直線状に記憶させた形状記憶合金で誘導部を形成している。形状記憶合金によって誘導部はしなやかに曲がりながら釣り竿の通路を通り、その過程で曲げてしまっても形状記憶効果によって完全に元の形状にもどる。」と訂正する。
（ｄ）明細書段落【０００６】の
「【実施例】以下、本発明の一実施例を図面に基づいて説明する。図１は、本発明の釣り糸通し具を示す斜視図である。図において、釣り糸通し具１０は形状記憶合金であって、保持部１２と誘導部１４からなる。保持部１２は一つの輪で記憶され、誘導部１４は直線状に記憶されている。なお、繰り返し使用するため、形状記憶合金にはＮｉーＴｉーＣｏ合金もしくはＮｉーＴｉーＣｏ合金を用いるのが最適である。」を、
「【実施例】以下、本発明の一実施例を図面に基づいて説明する。図１は、本発明の釣り糸通し具を示す斜視図である。図において、釣り糸通し具１０は形状記憶合金であって、保持部１２と誘導部１４からなる。図１から明らかなように、保持部１２は釣り糸通し具１０の端部を撚り合わせた一つの輪で記憶され、誘導部１４は直線状に記憶されている。なお、繰り返し使用するため、形状記憶合金にはＮｉーＴｉ合金もしくはＮｉーＴｉーＣｏ合金を用いるのが最適である。」と訂正する、
イ．訂正の目的の適否、新規事項の有無、及び拡張・変更の存否
　上記訂正事項（ａ）は、請求項１を削除し、請求項２の「少なくとも一つの輪」を「釣り糸通し具の端部を撚り合わせて少なくとも一つの輪」に訂正し、請求項３の「請求項２に記載された釣り糸通し具」を「請求項１に記載された釣り糸通し具」に訂正すると共に、これら請求項２，３の項番を１，２に繰り上げたものであるであるから特許請求の範囲の減縮を目的とするものである。
　上記訂正事項（ｂ）〜（ｄ）は、上記特許請求の範囲の減縮に伴い、これと整合性を図るものであるから、明りょうでない記載の釈明を目的とするものである。
　そして、上記訂正は願書に添付した明細書または図面に記載された事項の範囲を越えるものとは認められないから、新規事項の追加に該当せず、また特許請求の範囲を実質的に拡張または変更するものではない。
ウ．独立特許要件
（訂正明細書の請求項１ないし２に係る発明）
　訂正明細書の請求項１ないし２に係る発明は、その特許請求の範囲の請求項１ないし２に記載された次の事項により特定されるとおりのものである。
「【請求項１】釣り糸を釣り竿の中に案内して通す釣り糸通し具であって、釣り糸を保持する保持部と、その釣り糸を釣り竿の中を誘導する誘導部とを備えており、その保持部は、釣り糸通し具の端部を撚り合わせて少なくとも一つの輪を形成するように記憶させた形状記憶合金からなる釣り糸通し具。
【請求項２】請求項１に記載された釣り糸通し具において、その誘導部は、直線状に記憶させた形状記憶合金からなる釣り糸通し具。」
（引用刊行物に記載の発明）
　訂正明細書の請求項１ないし２に係る発明に対し、当審が通知した取消理由で引用した刊行物１（実願昭５８−１８５０５８号（実開昭６０−９４０７７号）のマイクロフィルム）には、「中通し釣竿の道糸通し具において、当該中通し具を構成する細い鋼線の一端部を道糸が引掛り、同時に一旦引掛り後牽引しても離脱しない程度の押圧力を有する形状、例えば底部がテーパー形状で、且折曲した先端部が中通し釣竿内の内側面には引掛らない形状の引掛け支止部を折曲形成した・・・中通し釣竿の道糸通し具」（実用新案登録請求の範囲）が記載されている。
　刊行物２（実願昭６１−１６８６７１号（実開昭６３−７３３８７号）のマイクロフィルム）には、「紐通し用針が形状記憶合金の素材よりなる・・・紐通し針」（実用新案登録請求の範囲）が記載され、「・・・形状記憶合金の素線を図のように折曲げ、形状記憶処理をして紐通し用針を製作した。」（明細書第３頁第１１〜１３行）こと、「・・・曲がってしまった針も温めることにより、元の真直ぐな形状にすることができた。」（明細書第３頁第１８〜２０行）こと、「その他の紐や線を通すのに使用される全ての針に適用できるものである。」（明細書第４頁第１３〜１５行）ことが記載されている。また、図からは、素線を折曲げ、直線部とその端部に輪状の紐取付部を形成しているから、刊行物２には、記憶形状記憶合金からなり直線状に記憶させた直線部と輪状の紐取付部を備えた紐通し針が記載されているものと認める。　
（対比・判断）
　訂正明細書の請求項１に係る発明と、刊行物１に記載の発明を対比すると、刊行物１に係る発明の「引掛け支止部」は請求項１に係る発明の「保持部」に相当するから、両者は、釣り糸を釣り竿の中に案内して通す釣り糸通し具であって、釣り糸を保持する保持部と、その釣り糸を釣り竿の中を誘導する誘導部とを備えた釣り糸通し具である点で一致するが、保持部として、請求項１に係る発明では、釣り糸通し具の端部を撚り合わせて少なくとも一つの輪を形成するように記憶させた形状記憶合金からなるのに対し、刊行物１に記載の発明では、通し具を構成する細い鋼線の一端部を折曲形成している点で相違する。
　上記相違点について検討すると、刊行物２には、形状記憶合金の素線を折曲げ、直線部とその端部に輪状の紐取付部を形成した紐通し針は記載されているが、上記輪状の紐取り付け部は折り曲げにより形成したものであって、請求項１に係る発明の「保持部は、釣り糸通し具の端部を撚り合わせて少なくとも一つの輪を形成する」ことについての記載がない。したがって、本件請求項１に係る発明は、上記刊行物１，２に記載の発明から当業者が容易に推考し得るものでない。
　また、訂正明細書の請求項２に係る発明は、請求項１に係る発明に、さらに、その誘導部は、直線状に記憶させた形状記憶合金からなることを付加したものであるから、上記請求項１に係る発明についての判断と同様の理由により、刊行物１ないし２に記載の発明から当業者が容易に推考し得るものでない。
　したがって、訂正明細書の請求項１ないし２に係る発明は、特許出願の際独立して特許を受けることができるものである。
エ．むすび
　以上のとおりであるから、上記訂正は特許法等の一部を改正する法律（平成６年法律第１１６号。以下「平成６年改正法」という。）附則第６条第１項の規定によりなお従前の例によるとされる、平成１１年改正前の特許法第１２０条の４第３項で準用する平成６年改正法による改正前の特許法第１２６条第１項ただし書、第２項および第３項の規定に適合するので、当該訂正を認める。
（３）特許異議の申立てについて
ア．本件発明
　本件請求項１ないし２に係る発明は、平成１２年１月１４日付けで提出された訂正請求書に添付された明細書の特許請求の範囲の請求項１ないし２に記載された事項により特定されるとおりのものである。
イ．申立ての理由の概要
　申立人は、証拠として甲第１号証（実願昭５８−１８５０５８号（実開昭６０−９４０７７号）のマイクロフィルム）、甲第２号証（実願昭６３−４４１３２号（実開平１−１４６８６８号）のマイクロフィルム）、甲第３号証（実願昭６１−１６８６７１号（実開昭６３−７３３８７号）のマイクロフィルム）、甲第４号証（特公平５−７０４０８号公報）を提出し、特許明細書の請求項１ないし３に係る発明の特許は、特許法第２９条第２項の規定に違反してなされたものであるから取り消されべきものである旨主張している。
ウ．甲第各号証に記載の発明
　甲第１号証および甲第３号証は、取消理由通知で引用した刊行物１および刊行物２であるから、甲第１号証及び甲第３号証には、上記（２）ウの（引用刊行物に記載の発明）で示した発明が記載されている。
　甲第２号証には「釣具に掛装される道糸を超弾性的性質を有する形状記憶合金で構成した・・・釣具の道糸」（請求項１）が記載されている。
甲第４号証には、「形状記憶合金の細線材から成る〜魚釣り糸」（請求項１）が記載されている。
　上記甲第２，４号証の記載からは、甲第２，４号証には、道糸、釣り糸を形状記憶合金で構成することが記載されている。
エ．対比・判断
　本件請求項１に係る発明と甲第１ないし４号証に記載の発明を対比すると、これら甲第各号証には、本件請求項１に係る発明を特定する事項である「保持部は、釣り糸通し具の端部を撚り合わせて少なくとも一つの輪を形成するように形状記憶させた形状記憶合金からなる釣り糸通し具」についての記載がない。したがって、本件請求項１に係る発明は、上記甲第各号証に記載の発明から当業者が容易に推考しうるものでない。
　また、本件請求項２に係る発明は、請求項１に係る発明に、さらに、その誘導部は、直線状に記憶させた形状記憶合金からなることを付加したものであるから、上記請求項１に係る発明についての判断と同様の理由により、甲第１ないし４号証に記載の発明から当業者が容易に推考しうるものでない。
オ．むすび
　以上のとおりであるから、特許異議の申立ての理由及び証拠によっては、本件請求項１ないし２に係る発明の特許を取り消すことはできない。
　また、他に本件請求項１ないし２に係る発明の特許を取り消すべき理由を発見しない。
　したがって、本件請求項１ないし２に係る発明についての特許は拒絶の査定をしなければならない特許出願に対してなされたものとは認められない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１２年６月５日（２０００．６．５）
【訂正の要旨】
　特許第２８３１５５６号発明の明細書を本件訂正請求書に添付の訂正明細書のとおりに訂正する。即ち、特許請求の範囲の減縮を目的として下記（ａ）のとおり訂正し、また、明りょうでない記載の釈明を目的として下記（ｂ）〜（ｄ）のとおり訂正する。
（ａ）特許請求の範囲の
「【請求項１】釣り糸を釣り竿の中に案内して通す釣り糸通し具であって、釣り糸を保持する保持部と、その釣り糸を釣り竿の中を誘導する誘導部とを備えており、その誘導部は、直線状に記憶させた１本の形状記憶合金のみからなる釣り糸通し具。
　【請求項２】釣り糸を釣り竿の中に案内して通す釣り糸通し具であって、釣り糸を保持する保持部と、その釣り糸を釣り竿の中を誘導する誘導部とを備えており、その保持部は、少なくとも一つの輪を形成するように記憶させた形状記憶合金からなる釣り糸通し具。
　【請求項３】請求項２に記載された釣り糸通し具において、その誘導部は、直線状に記憶させた形状記憶合金からなる釣り糸通し具。」を
「【請求項１】釣り糸を釣り竿の中に案内して通す釣り糸通し具であって、釣り糸を保持する保持部と、その釣り糸を釣り竿の中を誘導する誘導部とを備えており、その保持部は、釣り糸通し具の端部を撚り合わせて少なくとも一つの輪を形成するように記憶させた形状記憶合金からなる釣り糸通し具。
　【請求項２】請求項１に記載された釣り糸通し具において、その誘導部は、直線状に記憶させた形状記憶合金からなる釣り糸通し具。」と訂正する。
（ｂ）明細書段落【０００４】の
「【課題を解決するための手段】請求項１に記載の発明は、釣り糸を釣り竿の中に案内して通す釣り糸通し具であって、釣り糸を保持する保持部と、その釣り糸を釣り竿の中を誘導する誘導部とを備えており、その誘導部は、直線状に記憶させた１本の形状記憶合金のみからなる。請求項２に記載の発明は、釣り糸を釣り竿の中に案内して通す釣り糸通し具であって、釣り糸を保持する保持部と、その釣り糸を釣り竿の中を誘導する誘導部とを備えており、その保持部は、少なくとも一つの輪を形成するように記憶させた形状記憶合金からなる。
請求項３に記載の発明は、請求項２に記載された釣り糸通し具において、その誘導部は、直線状に記憶させた形状記憶合金からなる」を、
「【課題を解決するための手段】請求項１に記載の発明は、釣り糸を釣り竿の中に案内して通す釣り糸通し具であって、釣り糸を保持する保持部と、その釣り糸を釣り竿の中を誘導する誘導部とを備えており、その保持部は、釣り糸通し具の端部を撚り合わせて少なくとも一つの輪を形成するように記憶させた形状記憶合金からなる。
請求項２に記載の発明は、請求項１に記載された釣り糸通し具において、その誘導部は、直線状に記憶させた形状記憶合金からなる」と訂正する。
（ｃ）明細書段落【０００５】の
「【作用】請求項１に記載の発明によれば、直線状に記憶させた１本の形状記憶合金（ｓｈａｐｅ　ｍｅｍｏｒｙ　ａｌｌｏｙ）のみを誘導部に有する。形状記憶合金によって誘導部はしなやかに曲がり、曲げてしまっても形状記憶効果によって完全に元の形状にもどる。請求項２に記載の発明によれば、少なくとも一つの輪を形成するように記憶させた形状記憶合金を保持部に有すからなる。形状記憶合金によって保持部はしなやかに曲がり、曲げてしまっても形状記憶効果によって完全に元の形状にもどる。請求項３に記載の発明によれば、さらに誘導部を直線状に記憶させた形状記憶合金で形成する。形状記憶合金によって誘導部はしなやかに曲がりながら釣り竿の通路を通り、その過程で曲げてしまっても形状記憶効果によって完全に元の形状にもどる。」を、
「【作用】請求項１に記載の発明によれば、釣り糸通し具の端部を撚り合わせて少なくとも一つの輪を形成するように記憶させた形状記憶合金で保持部を形成している。形状記憶合金（ｓｈａｐｅ　ｍｅｍｏｒｙ　ａｌｌｏｙ）によって保持部はしなやかに曲がり、曲げてしまっても形状記憶効果によって完全に元の形状にもどる。請求項２に記載の発明によれば、直線状に記憶させた形状記憶合金で誘導部を形成している。形状記憶合金によって誘導部はしなやかに曲がりながら釣り竿の通路を通り、その過程で曲げてしまっても形状記憶効果によって完全に元の形状にもどる。」と訂正する。
（ｄ）明細書段落【０００６】の
「【実施例】以下、本発明の一実施例を図面に基づいて説明する。図１は、本発明の釣り糸通し具を示す斜視図である。図において、釣り糸通し具１０は形状記憶合金であって、保持部１２と誘導部１４からなる。図１から明らかなように、保持部１２は釣り糸通し具１０の端部を撚り合わせた一つの輪で記憶され、誘導部１４は直線状に記憶されている。なお、繰り返し使用するため、形状記憶合金にはＮｉーＴｉーＣｏ合金を用いるのが最適である。」を、
「【実施例】以下、本発明の一実施例を図面に基づいて説明する。図１は、本発明の釣り糸通し具を示す斜視図である。図において、釣り糸通し具１０は形状記憶合金であって、保持部１２と誘導部１４からなる。図１から明らかなように、保持部１２は釣り糸通し具１０の端部を撚り合わせた一つの輪で記憶され、誘導部１４は直線状に記憶されている。なお、繰り返し使用するため、形状記憶合金にはＮｉーＴｉーＣｏ合金を用いるのが最適である。」と訂正する。
（５４）【発明の名称】
釣り糸通し具
（５７）【特許請求の範囲】
　【請求項１】　釣り糸を釣り竿の中に案内して通す釣り糸通し具であって、
　釣り糸を保持する保持部と、その釣り糸を釣り竿の中を誘導する誘導部とを備えており、
　
その保持部は、釣り糸通し具の端部を然り合わせて少なくとも一つの輪を形成するように記憶させた形状記憶合金からなる釣り糸通し具。
　【請求項２】　
請求項１に記載された釣り糸通し具において、その誘導部は、直線状にに記憶させた形状記憶合金からな釣り糸通し具。
【発明の詳細な説明】
　　　【０００１】
　　【産業上の利用分野】
　本発明は、釣り糸を釣り竿の中に案内して通すための釣り糸通し具に関する。
　　　【０００２】
　　【従来の技術】
　釣り竿は細くするとしなやかに曲がりやすく、魚の釣れた時が判別しやすくなる。このため、近年は釣り竿が細くなりつつある。こうした細い釣り竿の中を、釣り糸を直に通そうとしても、釣り糸には腰がないために詰まりやすい。特に、水や海水で濡れてしまった釣り糸は、釣り竿の内壁に付着しやすく、釣り竿の中を通すことは困難である。
　従来では、釣り糸を釣り竿の中に案内して通すために、ピアノ線のような鋼を用いていた。すなわち、釣り糸を鋼に巻き付けた後、釣り竿の中に案内して通していた。
　　　【０００３】
　　【発明が解決しようとする課題】
　しかし、通常は釣り場までは鋼を小さく巻いて持参することが多いため、折れ曲がりやすい。この鋼は一度折れ曲がってしまうと、元に戻しにくい。このため、釣り糸を鋼に巻き付けて釣り竿の中を通そうとしても、釣り竿の中で詰まってしまうという問題点があった。
　本発明はこのような点に鑑みてなされたものであり、釣り竿の中で詰まることなく通しやすい釣り糸通し具を提供することを目的とする。
　　　【０００４】
　　【課題を解決するための手段】
　請求項１に記載の発明は、釣り糸を釣り竿の中に案内して通す釣り糸通し具であって、釣り糸を保持する保持部と、その釣り糸を釣り竿の中を誘導する誘導部とを備えており、
その保持部は、釣り糸通し具の端部を撚り合わせて少なくとも一つの輪を形成するように記憶させた形状記憶合金からなる。
　請求項２に記載の発明は、
請求項１に記載された釣り糸通し具において、その誘導部は、直線状に記憶させた形状記憶合金からなる。
　　　【０００５】
　　【作用】
　請求項１に記載の発明によれば、
釣り糸通し具の端部を撚り合わせて少なくとも一つの輪を形成するように記憶させた形状記憶合金で保持部を形成している。形状記憶合金（ｓｈａｅ　ｍｅｍｏｒ　ａｌｌｏｙ）によって保持部はしなやかに曲がり、曲げてしまっても形状記憶効果によって完全に元の形状に戻る。
　請求項２に記載の発明によれば、
直線状に記憶させた形状記憶合金で誘導部を形成している。形状記憶合金によって誘導部はしなやかに曲がりながら釣り竿の通足を通り、その過程で曲げてしまっても形状記憶効果によって完全に元の形状に戻る。
　　　【０００６】
　　【実施例】
　以下、本発明の一実施例を図面に基づいて説明する。
　図１は、本発明の釣り糸通し具を示す斜視図である。図において、釣り糸通し具１０は形状記憶合金であって、保持部１２と誘導部１４からなる。
図１から明らかなように、
釣り糸通し具１０の端部を撚り合わせた
　　　【０００７】
　以下、上記の釣り糸通し具１０の使用例について、図２を用いて説明する。
　釣り糸３０を釣り竿２０の中を通す前に、図２（Ａ）に示すように、まず保持部１２の輪の中に釣り糸３０を通し、釣り糸３０を折り返す。そして、誘導部１４の一端を釣り竿２０に設けられた挿入部２２に差し込み、順に中へ送り込み、排出部２４から取り出す。したがって、釣り糸通し具１０の径は挿入部２２から排出部２４に通じている通路の径よりも小さく、釣り糸通し具１０の長さは挿入部２２から排出部２４に通じている通路の長さと同じかそれよりも長い。この際、釣り糸通し具１０はしなやかに曲げられるために形を自在に変形させることができ、また特定の温度範囲で記憶された形状に戻る。これに伴って、保持部１２に折り返された釣り糸３０は、釣り竿２０の中を通される。こうして、釣り糸３０を釣り竿２０の中を通すと、図２（Ｂ）に示すような状態になる。
　　　【０００８】
　なお、釣り糸通し具１０は、通常釣り場まで小さく巻かれて（すなわち折り曲げたり、コイル状態にして）持参されるが、形状記憶効果によって、特定の温度範囲で記憶された状態の保持部１２と誘導部１４に戻る。すなわち、図１に示すように、釣り糸通し具１０の一端に一つの輪が形成され、他は直線状になる。この形状記憶効果は内在する熱弾性オーステナイト変態に起因して、合金の形状を変形させた場合に、特定の温度範囲で記憶された形状に戻る現象である。
　また、形状記憶合金は経年変化による材質の変化がほとんどなく、また耐腐食性によって海水（塩水）等のために錆びることもない。このため、長期間に渡って使用することができる。
　　　【０００９】
　以上では釣り糸通し具１０の一実施例について説明したが、この釣り糸通し具１０におけるその他の部分の構造、形状、大きさおよび材質等についても、本実施例に限定されるものでない。
　例えば、釣り糸通し具１０を形成する形状記憶合金にはＮｉ−Ｔｉ合金もしくはＮｉ−Ｔｉ−Ｃｏ合金を用いたが、べータロイ合金（Ｃｕ−Ｚｎ−Ａｌ）、Ａｇ−Ｃｄ合金、Ａｕ−Ｃｄ合金、Ｃｕ−Ａｌ−Ｎｉ合金、Ｃｕ−Ａｕ−Ｚｎ合金、Ｃｕ−Ｓｎ合金、Ｃｕ−Ｚｎ合金、Ｃｕ−Ｚｎ−Ｘ（Ｘ＝Ｓｉ，Ｓｎ，Ｇａ）合金、Ｉｎ−Ｔｌ合金、Ｎｉ−Ａｌ合金、Ｆｅ−Ｐｔ合金、Ｆｅ−Ｐｄ合金、Ｍｕ−Ｃｕ合金、Ｆｅ−Ｎｉ−Ｃｏ−Ｔｉ合金等の他の合金を用いてもよい。
　ここで、Ｔｉ−Ｎｉ系の形状記憶合金を用いた場合には、極めて耐腐食性に優れることになる。また、銅系の形状記憶合金（Ｃｌ−Ａｌ−Ｎｉ合金）を用いた場合には、Ｃｌ−Ａｌの組成からＣｕによる抗菌作用が認められる。
　なお、釣り糸通し具１０は、釣り竿に使用されるグラスファイバー、カーボンファイバー、カーボン繊維等の合成繊維や、アモルファス繊維等の金属繊維等のうち少なくとも一つの部材を組み合わせて形成したり、一部に用いて形成してもよい。
　　　【００１０】
　また、釣り糸通し具１０にはその一端に一つの輪として記憶させて保持部１２を形成するように構成したが、必要に応じて保持部１２の輪の大きさを変えたり、釣り糸通し具１０の両端にそれぞれ一つの輪として記憶させて保持部を二つ形成したり、釣り糸通し具１０の全体を一つの輪に形成する等のように、部材を通すために最適な形状を記憶させて形成するように構成してもよい。
　　　【００１１】
　さらに、釣り糸通し具１０の誘導部１４の形状も直線形状に限ることなく、つる巻きバネ状にしたり、形状記憶合金の微細線を重ね合わせたりする等の他の形状に形成してもよい。同様に、釣り糸通し具１０（形状記憶合金）の表面にはコーティングを施したり、ゴム等の弾性体で被覆してもよい。
　そして、釣り糸通し具１０は、釣り竿２０の中に釣り糸３０を通す用途のみならず、細管の中に電線等のケーブルや紐などの部材を通すように、他の用途にも適用することができる。
　　　【００１２】
　　【発明の効果】
　本発明の釣り糸通し具は誘導部および／または保持部において、しなやかに曲がるとともに、曲げてしまっても完全に元の形状に戻るという性質（形状記憶効果）を備える形状記憶合金を有している。そのため、釣り場まで小さく折り曲げたり、コイル状にして持参することができるので携帯性がよいうえに、保管スペースが少なくて済む。また、Ｔｉ−Ｎｉ系の形状記憶合金を用いた場合には、極めて耐腐食性に優れているため、塩水等に対して錆びることがなく耐久性に優れている。同様に、銅系の形状記憶合金（Ｃｕ−Ａｌ−Ｎｉ合金）を用いた場合には、Ｃｕ−Ａｌの組成からＣｕによる抗菌作用が認められるため、衛生的である。
【図面の簡単な説明】
　　【図１】
　本発明の釣り糸通し具を示す斜視図である。
　　【図２】
　本発明の釣り糸通し具の使用例を示す図である。
　【符号の説明】
　１０　釣り糸通し具
　１２　保持部
　１４　誘導部
　２０　釣り竿
　２２　挿入部
　２４　排出部
　３０　釣り糸